【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
被写体を撮像することにより得られた多数のユーザ画像の中からクライアント・コンピュータによって選択され，かつクライアント・コンピュータから送信されたユーザ画像を識別するデータを受信するユーザ画像識別データ受信手段，
多数の台紙画像の中から，上記ユーザ画像識別データ受信手段において受信したユーザ画像識別データによって識別されるユーザ画像の台紙画像として推奨される複数の台紙画像を検索により見つけ出す台紙画像検索手段，
上記台紙画像検索手段により見つけられた複数の台紙画像を表わす台紙画像データをクライアント・コンピュータに送信する台紙画像データ送信手段，
上記台紙画像データ送信手段から上記クライアント・コンピュータに台紙画像データが送信されたことに応じて，複数の台紙画像の中から上記クライアント・コンピュータによって選択された台紙画像を識別するデータであって，上記クライアント・コンピュータから送信される台紙識別データを受信する台紙識別データ受信手段，
多数の部品画像の中から，上記ユーザ画像識別データ受信手段において受信したユーザ画像識別データによって識別されるユーザ画像と上記台紙識別データ受信手段によって受信した台紙識別データにより識別される台紙画像との合成画像に，さらに合成する部品画像として推奨される複数の部品画像を検索により見つけ出す部品画像検索手段，および
上記部品画像検索手段により見つけられた複数の部品画像を表わす部品画像データをクライアント・コンピュータに送信する部品画像データ送信手段，
を備えた画像合成用サーバ。
【請求項２】
上記ユーザ画像識別データ受信手段によって識別されるユーザ画像が，上記クライアント・コンピュータにおいて切り取り，色変換などの画像変形処理が行われたことに応じて，上記クライアント・コンピュータから送信される画像変形処理後のユーザ画像データを受信するユーザ画像データ受信手段をさらに備え，
上記台紙画像検索手段は，多数の台紙画像の中から，上記ユーザ画像データ受信手段において受信した画像変形処理後のユーザ画像データによって表わされるユーザ画像の台紙画像として推奨される複数の台紙画像を検索により見つけ出すものであり，
上記部品画像検索手段は，多数の部品画像の中から，上記ユーザ画像データ受信手段において受信したユーザ画像データによって表わされるユーザ画像と上記台紙識別データ受信手段によって識別される台紙画像との合成画像に，さらに合成する部品画像として推奨される複数の部品画像を検索により見つけ出すものである，
請求項１に記載の画像合成用サーバ。
【請求項３】
上記クライアント・コンピュータによって選択されたユーザ画像について，上記クライアント・コンピュータのユーザによってキーワードが入力され，入力されたユーザ画像キーワードが上記クライアント・コンピュータから上記画像合成用サーバに送信され，上記クライアント・コンピュータから送信されたユーザ画像キーワードを受信するユーザ画像キーワード受信手段をさらに備え，
上記多数の台紙画像のそれぞれの台紙画像にキーワードが付されており，上記台紙画像検索手段は，上記ユーザ画像キーワード受信手段によって受信したユーザ画像キーワードと台紙画像に付されている台紙キーワードとにもとづいて，上記ユーザ画像識別データ受信手段において受信したユーザ画像識別データによって識別されるユーザ画像の台紙画像として推奨される複数の台紙画像を検索により見つけ出すものであり，
上記多数の部品画像のそれぞれの部品画像にキーワードが付されており，上記部品画像検索手段は，上記ユーザ画像キーワード受信手段によって受信したユーザ画像キーワードと台紙画像に付されている台紙キーワードと部品画像に付されている部品キーワードとにもとづいて，上記台紙画像に，さらに合成する部品画像として推奨される複数の部品画像を検索により見つけるものである，
請求項１に記載の画像合成用サーバ。
【請求項４】
複数の台紙画像の中から上記クライアント・コンピュータによって選択された台紙画像が，上記クライアント・コンピュータにおいて切り取り，色変換などの画像変形処理が行われたことに応じて，上記クライアント・コンピュータから送信される画像変形処理後の台紙画像データを受信する台紙画像データ受信手段をさらに備え，
上記部品画像検索手段は，多数の部品画像の中から，上記ユーザ画像識別データ受信手段において受信したユーザ画像識別データによって識別されるユーザ画像と上記台紙画像データ受信手段によって受信した台紙画像との合成画像に，さらに合成する部品画像として推奨される複数の部品画像を検索により見つけ出すものである，
請求項１に記載の画像合成用サーバ。
【請求項５】
上記クライアント・コンピュータによって選択された台紙画像について，上記クライアント・コンピュータのユーザによって台紙キーワードが入力され，入力されたキーワードが上記クライアント・コンピュータから上記画像合成用サーバに送信され，上記クライアント・コンピュータから送信された台紙キーワードを受信する台紙キーワード受信手段をさらに備え，
上記多数の部品画像のそれぞれの部品画像にキーワードが付されており，上記部品画像検索手段は，上記台紙キーワード受信手段によって受信したキーワードと上記ユーザ画像キーワード受信手段によって受信したユーザ画像キーワードと部品画像に付されている部品キーワードとにもとづいて，上記台紙画像に，さらに合成する部品画像として推奨される複数の部品画像を検索により見つけるものである，
請求項３に記載の画像合成用サーバ。
【請求項６】
上記部品画像データ送信手段によって上記クライアント・コンピュータに送信された部品画像データによって表わされる部品画像が，上記クライアント・コンピュータにおいて切り取り，色変換などの画像変形処理または位置指定が行われたことに応じて，上記クライアント・コンピュータから送信される画像変形処理後の部品画像データまたは指定された位置データを受信する部品画像データ受信手段，
をさらに備えた請求項１に記載の画像合成用サーバ。
【請求項７】
上記部品画像に対応した部品キーワードが上記クライアント・コンピュータから送信され，送信された部品キーワードを受信する部品キーワード受信手段，および
上記部品キーワード受信手段によって受信した部品キーワードを，対応する部品画像に付する部品画像キーワード割当手段をさらに備えた，
請求項１に記載の画像合成用サーバ。
【請求項８】
上記台紙画像検索手段は，多数の台紙画像の中から上記ユーザ画像識別データ受信手段において受信したユーザ画像識別データによって識別されるユーザ画像の色の平均値に近似した色の平均値をもつ台紙画像を推奨する台紙画像として見つけ出すものである，
請求項１に記載の画像合成用サーバ。
【請求項９】
上記部品画像検索手段は，上記多数の部品画像の中から，上記ユーザ画像識別データ受信手段において受信したユーザ画像識別データによって識別されるユーザ画像の色の平均値と上記台紙識別データ受信手段によって受信した台紙識別データにより識別される台紙画像の色の平均値とに近似した色の平均値をもつ部品画像を推奨する部品画像として見つけ出すものである，
請求項１に記載の画像合成用サーバ。
【請求項１０】
ユーザ画像識別データ受信手段が，被写体を撮像することにより得られた多数のユーザ画像の中からクライアント・コンピュータによって選択され，かつクライアント・コンピュータから送信されたユーザ画像を識別するユーザ画像識別データを受信し，
台紙画像検索手段が，多数の台紙画像の中から，上記ユーザ画像データ受信手段において受信したユーザ画像識別データによって表わされるユーザ画像の台紙画像として推奨される複数の台紙画像を検索により見つけ出し，
台紙画像データ送信手段が，上記台紙画像検索手段により見つけられた複数の台紙画像を表わす台紙画像データをクライアント・コンピュータに送信し，
台紙識別データ受信手段が，上記台紙画像データ送信手段から上記クライアント・コンピュータに台紙画像データが送信されたことに応じて，複数の台紙画像の中から上記クライアント・コンピュータによって選択された台紙画像を識別するデータであって，上記クライアント・コンピュータから送信される台紙識別データを受信し，
部品画像検索手段が，多数の部品画像の中から，上記ユーザ画像識別データ受信手段において受信したユーザ画像識別データによって識別されるユーザ画像と上記台紙識別データ受信手段によって受信した台紙識別データにより識別される台紙画像との合成画像に，さらに合成する部品画像として推奨される複数の部品画像を検索により見つけ出し，
部品画像データ送信手段が，上記部品画像検索手段により見つけられた複数の部品画像を表わす部品画像データをクライアント・コンピュータに送信する，
画像合成用サーバの制御方法。
【手続補正２】
【補正対象書類名】明細書
【補正対象項目名】００６６
【補正方法】変更
【補正の内容】
【００６６】
まず，選択されたユーザ写真画像の色特徴量YCbCr１が算出される（ステップ151）。ユーザ写真画像が編集されていれば編集後のユーザ写真画像の色特徴量YCbCr１が算出されるのはいうまでもない。
【手続補正３】
【補正対象書類名】明細書
【補正対象項目名】００６７
【補正方法】変更
【補正の内容】
【００６７】
図20は，選択されたユーザ写真画像Ｉ１の一例である。幅ｗ，高さｈのユーザ写真画像Ｉ１の中心をＣとすると，中心Ｃから幅方向に一定の距離α，中心Ｃから高さ方向に一定の距離β内の画像部分Ｉ２が検出される。但し，α＜ｗ／２，β＜ｈ／２である。検出された画像部分Ｉ２の輝度値Ｙならびに色差値CbおよびCrのそれぞれの平均値がユーザ写真画像の色特徴量YCbCr１となる。
【手続補正４】
【補正対象書類名】明細書
【補正対象項目名】００６８
【補正方法】変更
【補正の内容】
【００６８】
ユーザ写真画像の色特徴量YCbCr１が算出されると，算出された色特徴量YCbCr１がYCbCr色空間上に置かれた場合に，その色特徴量YCbCr１から一定の距離r1内に入る色特徴量をもつ台紙画像が推奨台紙として見つけられる（ステップ152）。
【手続補正５】
【補正対象書類名】明細書
【補正対象項目名】００７５
【補正方法】変更
【補正の内容】
【００７５】
候補条件がキーワードの場合には，作成者２のコンピュータ１の表示装置の表示画面に図25に示すキーワード入力ウインドウW2が表示される（ステップ171）。
【手続補正６】
【補正対象書類名】明細書
【補正対象項目名】００８３
【補正方法】変更
【補正の内容】
【００８３】
上述のようにユーザ写真画像のキーワードと選択された台紙画像のキーワードとの中間のキーワードが見つけられる（ステップ201）。図29に示すようにユーザ写真画像のキーワードはキーワードKW0(入学式)であり，作成者２によって選択された台紙画像のキーワードはキーワードKW2213であったものとする。すると，キーワードKW0とキーワードKW2213とを結ぶキーワードの中間にあるキーワードKW22(式典)が見つけられることとなる。
【手続補正７】
【補正対象書類名】図面
【補正対象項目名】図２０
【補正方法】変更
【補正の内容】
【図２０】
2008153796.tif 000001